(57)【特許請求の範囲】
【請求項１】
肌面シート、非肌面シート、及びこれらシート間に配される吸収体を備え、着用者の前後方向に対応する縦方向に沿って、前方部、後方部、及びそれらの中間に位置し、着用者の排泄部に当接する領域を含む中間部を備える吸収性物品であって、
前記吸収体は吸収性コアと、該吸収性コアの非肌側面を覆うコアラップとを有しており、
前記吸収体はその非肌側に開口を有し、肌側に底部を有する空洞部を備え、該底部が吸収性コアの密度が高い圧密部を構成しており、
前記非肌側面を覆うコアラップは、消臭剤を含み、前記圧密部では吸収性コア内に入り込んでおり、
前記吸収体は前記中間部において、その周辺部よりも坪量が高い高坪量領域を備えており、
前記高坪量領域は、前記圧密部、及び圧密部より密度が低い部分、を有しており、
前記高坪量領域は、前記肌面シート側に位置する上層吸収体と前記非肌面シート側に位置する下層吸収体とが積層された構造となっており、該上層吸収体の肌側面及び非肌側面と、該下層吸収体の肌側面及び非肌側面とが前記コアラップで覆われており、
前記圧密部が前記下層吸収体の非肌側の前記コアラップから前記上層吸収体まで及ぶものである、吸収性物品。
【請求項２】
前記高坪量領域は前記周辺部よりも肌側に向かって隆起した中高部となっている請求項１に記載の吸収性物品。
【請求項３】
前記高坪量領域は、該高坪量領域の周囲に位置する該高坪量領域よりも坪量の低い低坪量領域よりも密度が高く、前記圧密部よりも密度が低い、請求項１又は２に記載の吸収性物品。
【請求項４】
前記コアラップが前記吸収性コアの肌側面及び非肌側面を覆っており、前記吸収性コアの非肌側面を覆うコアラップは前記消臭剤としてカチオン性抗菌剤を含み、肌側面を覆うコアラップは前記消臭剤として水溶性のｐＨ緩衝剤及び多孔性粒子を含む、請求項１〜３のいずれか１項に記載の吸収性物品。
【請求項５】
前記圧密部と厚み方向において重なる位置において、前記吸収体の肌側面から非肌側面に向かって窪む窪み部を有する、請求項１〜４の何れか１項に記載の吸収性物品。
【発明の詳細な説明】
【技術分野】
【０００１】
本発明は吸収性物品に関する。
【背景技術】
【０００２】
使い捨ておむつや生理用ナプキンのような吸収性物品には、排泄物由来の臭いを抑制するために消臭剤や抗菌剤を配合したものが知られている（特許文献１〜３）。消臭剤は臭いの原因物質を捕捉することによって消臭機能をもたらし、抗菌剤は排泄物を分解する菌の増殖を抑制することによって臭いの発生を防いて消臭効果を発揮する。また、本出願人は、様々な臭い原因物質への対応を目的として、抗菌剤と消臭剤を含有する薄葉紙を開発した（特許文献４）。
【先行技術文献】
【特許文献】
【０００３】
【特許文献１】特開２００１−２７６１１８号公報
【特許文献２】特開２００１−３０９９４２号公報
【特許文献３】特開２０１３−３７６号公報
【特許文献４】特開２０１６−１６９４４６号公報
【発明の概要】
【０００４】
本発明は、肌面シート、非肌面シート、及びこれらシート間に配される吸収体を含み、着用者の前後方向に対応する縦方向に沿って、前方部、後方部、及びそれらの中間に位置し、着用者の排泄部に当接する領域を含む中間部とを備える吸収性物品である。本発明の吸収性物品は、前記吸収体は吸収性コアと、該吸収性コアの非肌側面を覆うコアラップとを有している。本発明の吸収性物品は、前記吸収体は前記非肌側に開口を有し肌側に底部を備えた空洞部を有し、該底部が圧密部を構成している。本発明の吸収性物品は、前記コアラップは消臭剤を含んでいる。
【図面の簡単な説明】
【０００５】
【図１】図１は、本発明の吸収性物品の一実施形態である生理用ナプキンの肌側面側を模式的に示す平面図である。
【図２】図２は、図１のＩ−Ｉ線断面の模式的な横断面図である。
【図３】図３は、本発明の吸収性物品の他の実施形態である生理用ナプキンの、図２相当の断面図である。
【発明の詳細な説明】
【０００６】
東南アジア等、年間を通して高温多湿の気候である国では、臭い成分が揮散し易い条件となっているとともに、吸収性物品中で菌の活動が活発になり易く、排泄物中の化合物の分解が進んで臭い原因物質が生じやすい。更に、１枚の吸収性物品を使用する時間が長い場合には、強い消臭性能を有する吸収性物品であっても、消臭性能の持続が困難な場合がある。前記特許文献１ないし４の技術を用いた吸収性物品は、そのような環境において使用する場合での消臭性能について、改善の余地がある。
【０００７】
本発明は、着用時における消臭性能を持続的に発揮できる吸収性物品に関する。
【０００８】
以下、本発明をその好ましい実施形態に基づき図面を参照しながら説明する。
【０００９】
本発明の好ましい一実施形態である吸収性物品１（以下、「生理用ナプキン１」又は「ナプキン１」ともいう。）は、図１及び図２に示すように、着用者の肌側に配される肌面シート２、着用者の着衣側に配される非肌面シート３、及びこれらシート２，３間に配される吸収体４を備えている。ナプキン１は、着用者の前側（腹側）に配される前方部１Ａ及び後側（背側）に配される後方部１Ｃと、それらの間に位置する中間部１Ｂとを有すると共に、前方部１Ａから中間部１Ｂを介して後方部１Ｃに延びる縦方向Ｘとこれに直交する横方向Ｙとを有している。
【００１０】
ここで中間部１Ｂは、縦方向Ｘにおいて、着用時に着用者の液排泄部（膣口等）に当接するように対向配置される領域である。尚、ここでいう「着用時」は、通常の適正な着用位置（当該吸収性物品の正しい着用位置）が維持された状態を意味し、吸収性物品が該着用位置からずれた状態にある場合は含まない。
【００１１】
ナプキン１には、前方部１Ａから中間部１Ｂを介して後方部１Ｃに跨って、肌面シート２と吸収体４を一体的に押圧して形成された押圧部５としての防漏溝（以下、単に防漏溝５ともいう。）が形成されている。防漏溝５は縦方向Ｘに延びており、横方向Ｙにナプキン１を二等分する中心線（図示せず）に対して両側に一対存在する。
【００１２】
ナプキン１では、図１及び図２に示すように、肌面シート２及び非肌面シート３は、それぞれ吸収体４よりも大きな寸法を有し、吸収体４の周縁から外方に延出し、それらの延出部において、接着剤、ヒートシール、超音波シール等の公知の接合手段によって互いに接合されて周縁シール部６を形成している。肌面シート２及び非肌面シート３それぞれと吸収体４との間は接着剤によって接合されていてもよい。
【００１３】
肌面シート２及び非肌面シート３を構成する材料としては、ナプキン、生理用ナプキンなどの吸収性物品において通常用いられているものを特に制限なく用いることができる。
【００１４】
肌面シート２を構成する材料としては、例えば、液透過性を有する親水性の不織布や穿孔フィルムなどを用いることができ、これらの不織布やフィルムは一般に熱可塑性樹脂、例えば、ポリエチレンやポリプロピレン等のポリオレフィン樹脂、ポリエチレンテレフタレート等のポリエステル樹脂等から構成されている。
【００１５】
非肌面シート３を構成する材料としては、例えば、液不透過性のフィルムや液難透過性の不織布などを用いることができ、液不透過性のフィルムは透湿性を有していてもよい。
【００１６】
吸収体４は、前方部１Ａから後方部１Ｃに亘って延在しており、平面視して縦方向Ｘに長い略矩形形状を有している。また、ナプキン１では、図１に示すように、ナプキン１の非肌側面に、該ナプキン１をショーツ等の着衣に固定する粘着部（図示せず）が設けられている。粘着部は、非着用時には剥離シートによって被覆されている。
【００１７】
本明細書において、肌側面とはナプキン１及びその構成部材（例えば吸収体４）における、着用状態において着用者の肌側に向けられる面（相対的に着用者の肌に近い側）であり、非肌側面はナプキン１及びその構成部材における、着用状態において着用者の肌側とは反対側に向けられる面（相対的に着用者の肌から遠い側）である。
【００１８】
ナプキン１では、吸収体４は、吸収性材料を含む吸収性コアと、該吸収性コアの非肌側面を覆うコアラップとを備えている。コアラップは後述する親水性繊維を含むシート状のものであり、コアラップシートとも呼ばれる。コアラップは、吸収性コアの非肌側面を少なくとも覆っていればよく、吸収性コアの肌面側を更に覆っていてもよい。コアラップによって吸収性コアの非肌面側及び肌面側を覆う場合には、一枚のコアラップで吸収性コア全体を包むようにして吸収性コアの非肌面側及び肌面側を覆ってもよく、二枚のコアラップで吸収性コアの非肌面及び肌面を覆ってもよい。
【００１９】
ナプキン１は、その中間部１Ｂにおいて、その周辺部よりも坪量が高い高坪量領域を備えていることが好ましい。図１及び図２に示すナプキン１では、中間部１Ｂにおける高坪量領域は着用者の肌側に向かって隆起した中高部となっており、その周囲部よりも厚みが大きくなっている。その結果、ナプキン１の着用時において、ナプキン１の高坪量領域が液排泄部にフィットし易い形状となっている。
【００２０】
本実施形態におけるナプキン１では、図２に示すように、中間部１Ｂにおける高坪量領域を、肌側に位置する上層吸収体４Ａと、非肌側に位置する下層吸収体４Ｂとが積層された二層の吸収体構造とすることで実現している。上層吸収体４Ａは、上層吸収性コア４０Ａの肌側面と非肌側面とが一枚のコアラップ４１Ａで覆われて構成されている。また、下層吸収体４Ｂは下層吸収性コア４０Ｂの肌側面と非肌側面とが一枚のコアラップ４１Ｂで覆われて構成されている。
【００２１】
本実施形態においては、上層吸収体４Ａの非肌側面と下層吸収体４Ｂの肌側面とが直接に接触するように配され、上層吸収体４Ａ及び下層吸収体４Ｂは肌面シート２と非肌面シート３との間に挟まれるように配されている。これらの吸収体４Ａ，４Ｂ及び／又はシート２，３との間は互いに接着剤などの公知の接合手段によって接合されていてもよい。
【００２２】
本実施形態のナプキン１においては、図１に示すように、中間部１Ｂにおいて、複数の圧密部８が縦方向Ｘ及び横方向Ｙに間欠的に配置されている。圧密部８は、ナプキン１の構成材料が圧密化されて、その周囲の部位よりも密度が高くなった部位である。
【００２３】
図２に示すように、上層吸収体４Ａ及び下層吸収体４Ｂを中間部１Ｂに有するナプキン１では、圧密部８は中間部１Ｂにおける高坪量領域に存在し、高坪量領域の一部を形成している。圧密部８の直下には、下層吸収性コア４０Ｂの非肌側面を覆っているコアラップ４１Ｂから上層吸収性コア４０Ａの肌側面に向かって隆起するように空洞部８１及び底部８２が形成されている。空洞部８１及び底部８２の形成によって、底部８２の上方に位置する上層吸収性コア４０Ａが圧縮され、上層吸収性コア４０Ａの密度が高い圧密部８を形成している。つまり圧密部８は、上層吸収性コア４０Ａの肌側面と空洞部８１に設けられた底部８２との間の厚み方向の領域を指す。
【００２４】
空洞部８１は、下層吸収体４Ｂの非肌側面に開口を有しており、下層吸収体４Ｂの非肌側のコアラップ４１Ｂが下層吸収性コア４０Ｂ内に入り込んで、上層吸収体４Ａまで及ぶように形成されている。空洞部８１は、上層吸収体４Ａの上層吸収性コア４０Ａの内部まで上層吸収性コア４０Ａに入り込むように形成され、上層吸収体４Ａの肌側には底部８２が形成されている。底部８２は、上層吸収体４Ａの肌側に向かって上層吸収性コア４０Ａの吸収性材料を厚さ方向に圧縮するように位置しており、圧密部８を構成するようになっている。
【００２５】
底部８２を含む空洞部８１の壁面は、下層吸収性コア４０Ｂにおいてはコアラップ４１Ｂによって形成され、上層吸収性コア４０Ａにおいては、コアラップ４１Ａ及びコアラップ４２Ｂの双方によって形成されている。空洞部８１及び底部８２を有することによって、ナプキン１の着用時における吸収体４の変形やヨレが少なくなり、身体へのフィット性が向上することに加えて、後述する消臭性能の向上が期待できる。圧密部８、空洞部８１及び底部８２は、例えば下部吸収体４Ｂ及び上部吸収体４Ａを重ね合わせた状態下に、下部吸収体４Ｂの非肌側から上部吸収体４Ａ側に向けてピンエンボスを施すことで形成することができる。
【００２６】
圧密部８は、少なくとも中間部１Ｂに配されていれば特に好ましいが、これに限定されない。圧密部８は、中間部１Ｂにおける両側一対の防漏溝５で挟まれた領域に存在していることが好ましく、中間部１Ｂの横方向Ｙの中央領域に配されていることがより好ましい。圧密部８がこの領域に存在していることで、ナプキン１の身体へのフィット性が向上するだけでなく、後述する消臭効果を持続させることができる。
【００２７】
本発明において、圧密部８が少なくとも中間部１Ｂに配されていれば、圧密部８が形成される個数及びその配置間隔は特に限定されない。例えば図１に示すナプキン１では、複数の圧密部８が縦方向Ｘ及び横方向Ｙに３列ずつ、且つ等間隔に設けられている。ナプキン１の身体へのフィット性の向上とナプキン１の生産性の向上とを両立させる観点から、圧密部８の個数は２個以上２０個以下であり、縦方向Ｘに１〜５個、及び横方向Ｙに１〜４列配置することが好ましい。同様の観点から、圧密部８の配置間隔は等間隔であることが好ましい。
【００２８】
本発明において、圧密部８を平面視したときの形状及び面積も特に限定されない。例えば図１に示すナプキン１では、圧密部８の平面視形状は真円であり、その寸法は互いに同一である。圧密部８の平面視形状は本発明の効果が奏される限りにおいて、例えば楕円形や、三角形、四角形といった多角形の形状であっても良く、圧密部８どうしでその平面視形状が異なっていても良い。また、圧密部８を平面視したときの面積は、好ましくは０．１ｍｍ２以上、より好ましくは０．５ｍｍ２以上であり、また好ましくは２５ｍｍ２以下、より好ましくは１５ｍｍ２以下である。
【００２９】
吸収体４への排泄液の吸収性を一層高める観点から、ナプキン１における高坪量領域は、その周囲に高坪量領域よりも坪量の低い低坪量領域を有していることが好ましい。また高坪量領域の吸収性コアに含まれる吸収性材料の密度が、低坪量領域の吸収性材料の密度よりも高く、且つ圧密部８の吸収性材料の密度よりも低いことが好ましい。つまり、各領域における吸収性コアに含まれる吸収性材料の密度は、圧密部８＞高坪量領域＞低密度領域であることが好ましい。
【００３０】
吸収体４を構成する吸収性コアの材料としては、パルプ等の親水性繊維と高吸水性ポリマーとを含んで構成することができる。また、吸収性コアは親水性繊維単独で構成されていても良い。親水性繊維が吸収性コアに含まれることによって、排泄液が吸収体４の肌側面から非肌側面へと移行し易くなり、体液が非肌側に配置されたコアラップに接触し易くなる。その結果、排泄液に由来した臭いを消臭することができる。コアラップの消臭効果については、後に詳述する。
【００３１】
本実施形態のナプキン１は、図１に示すように、肌面シート２の肌対向面における縦方向Ｘに沿う両側部にサイドシート９が配されていてもよい。サイドシート９は、平面視において肌面シート２の縦方向Ｘに沿う左右両側部に重なるように、肌面シート２の縦方向Ｘの全長に亘って配されていることが好ましい。図１及び図２に示すように、ナプキン１では、一対のサイドシート９，９は、それぞれ接合部９１にて肌面シート２に接合されている。
【００３２】
吸収体４のコアラップ４１Ａ，４１Ｂは、親水性繊維と消臭剤とを含んでいる。親水性繊維として典型的なものは、パルプ等のセルロース系繊維である。セルロース系繊維としては、従来から吸収性物品に用いられているものを特に制限なく用いることができる。
【００３３】
コアラップ４１Ａ，４１Ｂに含まれる消臭剤は、それ自体が臭気に直接作用するもの、例えば、臭気を吸着、中和又は分解等して消臭効果を発現し得る物質と、臭気の発生源に作用して臭気の発生を抑制することで消臭効果を発現し得る物質が挙げられる。したがって、前者は狭義の消臭剤であり、後者は抗菌剤を含む概念である広義の消臭剤である。
【００３４】
本発明に用いられる消臭剤として、有機性の消臭剤を用いることが好ましい。有機性の消臭剤は、排泄液中の臭い発生原因物質が有機性である場合に、臭い発生原因物質との良好な親和性から高い消臭性が期待できる。このような消臭剤として好ましいものはカチオン性抗菌剤であり、有機性の臭い原因物質や菌との親和性の観点からは有機性のカチオン性抗菌剤が特に好ましい。カチオン性抗菌剤は、悪臭産生の制御として強い腐敗臭の発生を抑えることができる。なお、「有機性の消臭剤」とは、有機化合物を主体とする成分を含む消臭剤であることを指す。
【００３５】
カチオン性抗菌剤としては、上述の抗菌作用を有するものを特に制限なく用いることができる。例えば特開平８−９９８４１号公報の明細書の段落［００１５］〜［００１８］に記載のものがある。これらのカチオン性抗菌剤は、１種を単独で用いてもよく、２種以上を組み合わせて用いてもよい。カチオン性抗菌剤は、有機化合物系の抗菌剤で、銀、亜鉛、銅等の金属イオン系よりも尿等の排泄液への溶出が多く抗菌作用が広範囲である。特に、ジデシルジメチルアンモニウム塩、アルキルピリジニウム塩、ベンゼトニウム塩、ベンザルコニウム塩、モノアルキルトリメチルアンモニウム塩、ジアルキルジメチルアンモニウム塩等の第四級アンモニウム塩が挙げられ、これらからなる群から選ばれる少なくとも１種を含有することが好ましい。これらのカチオン性抗菌剤は１種を単独で用いてもよく、２種以上を組み合わせて用いてもよい。
【００３６】
本発明のナプキン１における消臭剤の含有量は、コアラップ４１Ａ，４１Ｂに０．０５ｇ／ｍ２以上の坪量で含有されており、０．１ｇ／ｍ２以上が好ましく、０．２ｇ／ｍ２以上がより好ましい。その上限は、悪臭産生の制御の観点から特に制限されるものではなく、用いられる物品の用途等によって適宜設定することができる。例えば、吸収性物品の用途においては、着用者の肌に直接、或いは排泄液を介して長時間接触する場合があるため、含有坪量が過量であると肌刺激性が強い等の身体への影響や、シートを通過する排泄尿の透過性を阻害する虞がある。そのため、その上限は、１．０ｇ／ｍ２以下が好ましく、０．５ｇ／ｍ２以下がより好ましく、０．３ｇ／ｍ２以下が更に好ましい。
【００３７】
消臭剤としてカチオン性抗菌剤を用いる場合には、その含有坪量は次の方法によって測定することができる。市販の製品等を分析に供する場合には、ドライヤーやコールドスプレーなどを用いて、各部材を剥がし、対象となるコアラップ４１Ａ，４１Ｂを得る。その後、コアラップ中の前記のカチオン性抗菌剤の含有坪量を、液体クロマトグラフ／質量分析計（アジレント・テクノロジー株式会社製６１４０  ＬＣ／ＭＳ、イオン化法：ＥＳＩ）にて測定することができる。あるいは、検量線法によって作成された検量線に基づいてカチオン性抗菌剤の含有量を測定することもできる。
【００３８】
抗菌性と安全性（皮膚への低刺激性）とを両立する観点から、カチオン性抗菌剤のうち、下記式（１）で表されるベンザルコニウム塩を用いることが好ましい。
【００３９】
【化１】
0006328357.tif 000002
【００４０】
式（１）中、Ｒ１及びＲ２は、同一の若しくは異なるメチル基、エチル基、又は炭素数８以上２０以下の直鎖若しくは分岐鎖のアルキル基若しくはアルケニル基を表す。Ｘ−は一価のアニオンを表す。
【００４１】
式（１）で表されるベンザルコニウム塩のうちの１種を単独で、又は２種以上を組み合わせて用いることができる。式（１）中、Ｒ１及びＲ２の好ましい組み合わせとしては、例えばＲ１がメチル基であり、Ｒ２が炭素数８以上２０以下の直鎖又は分岐鎖のアルキル基である組み合わせや、Ｒ１及びＲ２が同一の基であり、かつ該基が炭素数８以上２０以下の直鎖又は分岐鎖のアルキル基である組み合わせが挙げられる。これらの組み合わせにおいて、アルキル基の炭素数は、１０以上１８以下であることが更に好ましい。
【００４２】
式（１）中、Ｘ−で表される一価のアニオンは、例えばハロゲン化物イオンやアニオン活性基であることが好ましい。「アニオン活性基」とは、陰イオン性の界面活性能を有するイオンのことを言う。
【００４３】
アニオン活性基としては、炭素数６以上、特に炭素数１０以上であり、また、炭素数２０以下、特に炭素数１８以下の直鎖若しくは分岐鎖のアルキル基又はアルケニル基を含むアニオン性活性基を用いることが好ましい。そのようなアニオン活性基として、例えばアルキルリン酸エステル塩やアルキルカルボン酸塩、アルキルスルホン酸塩、アルキル硫酸エステル塩を用いることが、抗菌性能を高める点で好ましい。特に下記式（２）で表されるアルキルリン酸を用いることが、抗菌性能が一層高くなる点で好ましい。
【００４４】
【化２】
0006328357.tif 000003
【００４５】
式（２）中、Ｒ３及びＲ４の一方は炭素数６以上２０以下の直鎖又は分岐鎖のアルキル基又はアルケニル基を表し、もう一方は水素原子、メチル基又はエチル基を表す。
【００４６】
Ｒ３及びＲ４の好ましい組み合わせとしては、Ｒ３が水素原子であり、Ｒ４が炭素数８以上２０以下の直鎖又は分岐鎖のアルキル基である組み合わせが挙げられる。アルキル基の炭素数は、１０以上１８以下であることが更に好ましい。式（２）に示すアニオン活性基を有するベンザルコニウム塩をコアラップ４１Ａ，４１Ｂに含有させることによって、消臭性能の向上に加えて、紙の風合い（嵩高性、柔軟性）を向上させることができ、コアラップ４１Ａ，４１Ｂに用いられる薄葉紙として好適に使用することができる。
【００４７】
前記のベンザルコニウム塩の中でも、特にセチルリン酸ベンザルコニウムを用いることが、抗菌性、安全性及び即効性の高さの点から一層好ましい。セチルリン酸ベンザルコニウムは、有機系のカチオン性抗菌剤の中で、抗菌性と皮膚への低刺激性（水溶解性が低い）とのバランスがよく、比較的安全性が高いため、消臭剤としてコアラップ４１Ａ，４１Ｂ等の吸収性物品１用のシートに好適に使用される。
【００４８】
本発明に用いられる他の消臭剤としては、多孔性粒子が挙げられる。本発明における多孔性粒子とは、少なくとも粒子表面に多数の細孔を有する粒子であって、揮発する臭い成分をその孔に捕集、吸着及び／又は包摂できるものを指す。多孔性粒子は、消臭剤として単独で使用してもよく、上述のカチオン性抗菌剤と併用してもよい。
【００４９】
多孔性粒子の材質としては、有機化合物、無機化合物若しくはそれらの重合体、又はそれらの組み合わせ等が挙げられる。その具体例としては、例えば多孔メタクリル酸ポリマー、多孔アクリル酸ポリマー等のアクリル酸系ポリマー、多孔ジビニルベンゼンポリマー、多孔ピリジン共重合体等の芳香族系ポリマー、及びそれらの共重合体等の合成の多孔質ポリマー；キチン及びキトサン等の天然の多孔質ポリマー；酸化亜鉛、活性炭、シリカ、二酸化ケイ素（シリカゲル）、ケイ酸カルシウム、アルミノ珪酸塩化合物、ハイシリカゼオライト（疎水性ゼオライト）、セピオライト、カンクリナイト、ゼオライト、及び水和酸化ジルコニウム等の無機多孔質物質；銀担持ゼオライト、銀担持カンクリナイト、並びに、銀担持多孔スチレン−ジビニルベンゼン−ビニルピリジンポリマー及び銀担持多孔ジビニルベンゼン−ビニルピリジンポリマー等のビニルピリジン共重合体、などの金属担持多孔質などが挙げられ、これらからなる群から選ばれる少なくとも１種を含有することが好ましい。
【００５０】
この中でも、活性炭、アルミノ珪酸塩化合物及びビニルピリジン共重合体からなる群から選ばれる少なくとも１種を含有することが、消臭性能を向上させる観点から好ましい。これらの多孔性粒子は、１種を単独で用いてもよく、２種以上を組み合わせて用いてもよい。特に、有機性の多孔性粒子と無機性の多孔性粒子とを組み合せて用いることによって、多種の臭い成分を一度に捕集できる点で一層有効である。上述の多孔ビニルピリジン共重合体としては、多孔スチレン−ジビニルベンゼン−ビニルピリジンポリマー、多孔ジビニルベンゼン−ビニルピリジンポリマー等が挙げられる。なお、銀担持カンクリナイトとは、特開２００５−３３６３６３号公報の段落［００２９］〜［００４５］に記載のカンクリナイト様鉱物のことである。なお、「有機性の多孔性粒子」とは、有機化合物を主体とする多孔を有する粒子であることを指し、「無機性の多孔性粒子」とは、無機化合物を主体とする多孔を有する粒子であることを指す。
【００５１】
消臭性能をより効果的に発現させる観点から、本発明に用いられる多孔性粒子は、そのＢＥＴ比表面積が５０ｍ２／ｇ以上であることが好ましく、１００ｍ２／ｇ以上であることがより好ましく、２００ｍ２／ｇ以上であることが更に好ましい。また、ＢＥＴ比表面積の上限は特に制限されるものではないが、２０００ｍ２／ｇ以下とすることが実際的である。なお、多孔性粒子のＢＥＴ比表面積の値が大きいほど消臭性能が高くなるので、ＢＥＴ比表面積の値は上述の範囲内で大きければ大きいほど好ましい。ＢＥＴ比表面積は、株式会社島津製作所製の比表面積・細孔分布測定装置「ＡＳＡＰ２０２０」を用いて、液体窒素を用いた多点法で測定し、パラメータＣが正になる範囲で値を導出できる。また、細孔分布の測定は水銀圧入法を用いることができる。
【００５２】
また同様の観点から、本発明に用いられる多孔性粒子は、少なくともその平均細孔径は、０．１ｎｍ以上であることを有していればよく、２ｎｍ以上であることが好ましく、５０ｎｍ以下であることがより好ましく、３０ｎｍ以下であることがより更に好ましい。多孔性粒子の細孔径は、株式会社島津製作所製の比表面積・細孔分布測定装置「ＡＳＡＰ２０２０」を用いて測定することができる。
【００５３】
多孔性粒子の形状は、消臭効果が奏される限りにおいて特に制限はなく、球形、所定のアスペクト比をもつ棒状や針状、粉砕形状等の不定形状のいずれであってもよい。微粒子の形状は、日本電子株式会社製の走査型電子顕微鏡「ＪＣＭ−５１００」を用いて観察して判断することができる。
【００５４】
多孔性粒子の具体的な例として、前述した活性炭、アルミノ珪酸塩化合物及びビニルピリジン共重合体を用いる場合、そのＢＥＴ比表面積はそれぞれ、１７５０ｍ２／ｇ程度、２５０ｍ２／ｇ程度、３５０ｍ２／ｇ程度のものであり、平均細孔径はそれぞれ４．５ｎｍ程度、２０ｎｍ程度、１０ｎｍ程度のものを用いることができる。
【００５５】
消臭の対象となる尿や経血等の排泄液由来の臭い成分は、アンモニア、アミン類、脂肪酸類、硫化水素やメルカプタン類等の成分が複数混合されたものである。一般的に、これらの臭い成分の分子サイズは１ｎｍ以上であるので、平均細孔径が２ｎｍ以上である多孔性粒子を消臭剤として用いることで、複数の臭い成分を効果的に吸着することができる。
【００５６】
特に、上述したＢＥＴ比表面積又は平均細孔径のいずれか一方の好適な数値範囲を満たす多孔性粒子を用いると、消臭性能を高く維持しつつ、多孔性粒子の含有量を低減することができるので好ましい。さらに、前記のＢＥＴ比表面積及び平均細孔径の双方の好適な数値範囲を満たす多孔性粒子を用いると、消臭性能がより一層向上し、多孔性粒子の含有量をより一層低減できるため、より好ましい。このことが、前述したカチオン性抗菌剤との組み合わせによる多孔性粒子の含有量の低減化と相俟って、持続的且つ効果的な抗菌作用と消臭作用と、コアラップの風合いの向上と、吸収性物品１に組み込まれた際の装着感の向上とを可能とする。
【００５７】
コアラップに含まれる多孔性粒子の坪量は、消臭効果を好適に得る観点から、０．０５ｇ／ｍ２以上が好ましく、０．１ｇ／ｍ２以上がより好ましく、０．５ｇ／ｍ２以上が更に好ましい。その上限は、コアラップ４１Ａ，４１Ｂの風合いの低減を抑制する観点から、５ｇ／ｍ２以下が好ましく、３ｇ／ｍ２以下がより好ましく、１．０ｇ／ｍ２以下が更に好ましい。
【００５８】
前述した多孔性粒子の具体例である、活性炭、アルミノ珪酸塩化合物及びビニルピリジン共重合体を使用する場合には、表面処理を施すことによってさらなる消臭機能を付加することもできる。例えば、活性炭は、塩化亜鉛（ＺｎＣｌ）賦活によって硫黄系ガスに対する化学吸着による消臭機能を具備することができる。また、アルミノ珪酸塩化合物は亜鉛担持によって、ビニルピリジン共重合体は銀担持によって、抗菌作用を具備することができる。
【００５９】
ナプキン１のコアラップには、消臭剤として、水溶性のｐＨ緩衝剤を更に含むことができる。ｐＨ緩衝剤は排泄液などの液相中に発生した酸性やアルカリ性の臭い成分を中和し、ｐＨの変化を小さくする剤である。すなわち、平衡作用による中和消臭剤である。このような剤としては、特に制限されるものでないが、例えば弱酸やその共役塩基、あるいはそれらの混合物又はその塩、弱塩基やその共液酸、あるいはそれらの混合物又はその塩などが挙げられる。水溶性のｐＨ緩衝剤の具体例としては、弱酸としてはクエン酸等が挙げられ、その塩としてはＮａ、Ｋ、Ｃａ等の金属塩が挙げられる。また弱塩基としては、例えばトリス（ヒドロキシメチル）アミノメタンといったポリヒドロキシアミン化合物等が挙げられる。
【００６０】
本発明に用いられるｐＨ緩衝剤は、少なくとも酸性又はアルカリ性の臭い成分のいずれか一方を中和する成分を含有していればよく、酸性及びアルカリ性の臭い成分の全てを同時に中和する必要はない。例えば弱酸としてクエン酸を単独で使用すれば、アルカリ性の臭い成分であるアミン類やアンモニア等の臭いを中和消臭できる。また同時に、クエン酸とアルカリ性の臭い成分との中和に起因してクエン酸の塩が生成し、クエン酸塩の生成に起因して副次的にｐＨ緩衝作用が生じる。この他に、ｐＨ緩衝剤として弱酸の塩であるクエン酸ナトリウムを単体で用いた場合や、クエン酸とクエン酸塩との混合物を用いた場合であっても、同様のｐＨ緩衝作用が生じる。その他に、弱塩基としてトリス（ヒドロキシメチル）アミノメタンを単体で用いた場合や、トリス（ヒドロキシメチル）アミノメタンとその塩の混合物を用いた場合には、酸性の臭い成分との中和に起因したｐＨ緩衝作用が生じる。このように、上述のいずれの場合でも、臭い成分の中和に起因した消臭効果を効果的に得ることができる。
【００６１】
特に本実施形態のナプキン１では、ｐＨ緩衝剤として、クエン酸とトリス（ヒドロキシメチル）アミノメタンとを含有するものが好ましい。これらのように、弱酸と弱塩基成分との組合せによって、酸性及びアルカリ性の臭い成分由来の臭いだけでなく、ｐＨ緩衝性を有する消臭剤だけでは抑制できなかった中性付近の臭いも含めて、臭いの産生を強力に抑制することができる。その結果、これらのｐＨ緩衝剤を含むコアラップを使用した吸収性物品１は、その着用が長時間に及んだ場合でも、排泄液に由来した臭いが着用者の周囲でほぼ気づかれることがない程度の高い消臭効果を実現することができる。
【００６２】
ｐＨ緩衝剤の含有坪量は、吸収性物品の排泄液から持続的に発生する酸性やアルカリ性の臭い成分由来の臭いを長時間且つ効果的に中和消臭する観点から、０．０５ｇ／ｍ２以上が好ましく、０．１ｇ／ｍ２以上がより好ましく、０．１５ｇ／ｍ２以上が更に好ましい。その上限は特に限定されるものではないが、製造コストの観点から、２．０ｇ／ｍ２以下が好ましく、１．０ｇ／ｍ２以下がより好ましく、０．５ｇ／ｍ２以下が更に好ましい。具体的には、０．０５ｇ／ｍ２以上２．０ｇ／ｍ２以下が好ましく、０．１ｇ／ｍ２以上１．０ｇ／ｍ２以下がより好ましく、０．１５ｇ／ｍ２以上０．５ｇ／ｍ２以下が更に好ましい。
【００６３】
前記のｐＨ緩衝剤の含有坪量は、公知のイオンクロマトグラフィー分析法等を使って測定することができる。例えば、有機酸、リン酸等の陰イオン、アルカノールアミン等の分析には分析装置としてＤｉｏｎｅｘ  ＩＣＳ−２１００（サーモフィッシャーサイエンティフィック株式会社製、電気伝導度検出器、グラジエント溶出法）によって、定性分析及び含有坪量の測定を行うことができる。
【００６４】
ナプキン１における肌側での臭い成分残存量を減らし、且つ消臭効果を持続的に得る観点から、コアラップが吸収性コアの肌側面及び非肌側面を覆っており、吸収性コアの非肌側面を覆うコアラップはカチオン性抗菌剤を含み、肌側面を覆うコアラップは水溶性のｐＨ緩衝剤及び多孔性粒子を含むことが好ましい。図１及び図２に示すナプキン１では、少なくとも、下層吸収性コア４０Ｂの非肌側面を覆うコアラップ４１Ｂはカチオン性抗菌剤を含み、上層吸収性コア４０Ａの肌側面を覆うコアラップ４１Ａは水溶性のｐＨ緩衝剤及び多孔性粒子を含んでいれば、本発明の効果は奏される。下層吸収性コア４０Ｂの肌側面を覆うコアラップ４１Ｂ及び上層吸収性コア４０Ａの非肌側面を覆うコアラップ４１Ａには、消臭剤の有無は特に制限されないが、下層吸収性コア４０Ｂの肌側面を覆うコアラップ４１Ｂは水溶性のｐＨ緩衝剤及び多孔性粒子を更に含み、上層吸収性コア４０Ａの非肌側面を覆うコアラップ４１Ａはカチオン性抗菌剤を更に含むことが、消臭効果の観点から好ましい。
【００６５】
多種多様の臭い成分由来の臭いの発生と、臭い発生の原因菌の発生とを幅広く且つ強力に抑制する観点から、吸収体４のコアラップ４１Ａ，４１Ｂとしては、上述したカチオン性抗菌剤、多孔性粒子及びｐＨ緩衝剤の全てが含まれているものを使用することが好ましい。特にその中でも、有機性のカチオン性抗菌剤、有機性の多孔性粒子、無機性の多孔性粒子及びｐＨ緩衝剤の組合せを用いることがより好ましい。
【００６６】
上述の消臭剤をコアラップに含有させる方法は特に限定されない。消臭剤として、有機性の消臭剤及び／又はｐＨ緩衝剤を含む場合には、例えば水又は有機溶媒に溶解混合した消臭剤をコアラップに塗布、噴霧又は浸漬し、乾燥させることでコアラップに含有させることができる。また消臭剤として多孔性粒子を用いる場合には、多孔性粒子をコアラップの構成繊維である親水性繊維に付着させることでコアラップに含有させることができる。
【００６７】
以上の構成を有する吸収性物品１を着用することで、排泄液に起因した臭いを効果的に抑制することができ、且つ持続的に消臭効果を得ることができる。持続的な消臭効果を得る機序としては、以下の機序が考えられる。
【００６８】
図１及び図２に示す圧密部８は、圧密部８以外の吸収性コア４０Ａ及び４０Ｂの部分と比較して、より多くの排泄液を吸収しやすくなっている。圧密部８によって吸収された排泄液は、重力に従って吸収体４の非肌面側である底部８２側へスムーズに移行し易くなる。圧密部８の下方には非肌側のコアラップを含む底部８２が存在しているので、排泄液がコアラップを伝わって非肌側に移行し易くなっている。排泄液と非肌側面のコアラップに存在する消臭剤とが接触するようになる結果、吸収性物品１の着用早期から、排泄液の消臭効果を発現させることができる。また、ナプキン１の肌面から遠い位置で消臭が行われるので、消臭効果が高くなる。更に、排泄液は圧密部８を介して非肌側面のコアラップへ移行する分と、吸収性コアを面方向及び厚み方向に拡散する分とに分配されるので、多量の排泄液が一度に非肌側面のコアラップに到達しにくくなる。このため、消臭効果が長期にわたって維持し易い。
【００６９】
消臭剤が非肌面側のコアラップ４１だけでなく、肌面側のコアラップ４１にも含まれる場合には、排泄液が肌面側のコアラップ４１に直接接触して消臭効果を発揮することに加えて、底部８２において非肌面側のコアラップ４１と排泄液とが接触しやすくなるので、排泄液が消臭剤と接触しやすくなり、消臭効果が一層高くなる。
【００７０】
また、消臭剤としてカチオン性抗菌剤を含むことによって、本発明の吸収性物品１を長時間に亘って着用した場合でも臭い発生の原因菌の発生及び増殖を抑制でき、臭い原因物質の発生を抑制できるので好ましい。特に、抗菌剤が非肌側のコアラップ４１に含まれていることによって、底部８２に存在する非肌側のコアラップ４１と接触しやすくなり、臭い原因物質の発生を抑制できる。更に、排泄液が圧密部８を介して吸収体４の非肌側に長時間保持又は蓄積される場合でも、底部８２以外に存在する非肌側のコアラップ４１において臭い原因物質の発生を抑制できるので好ましい。
【００７１】
更に、カチオン性抗菌剤が非肌面側のコアラップ４１に含まれており、且つ水溶性のｐＨ緩衝剤及び多孔性粒子が肌面側のコアラップ４１に含まれていると、肌側面においては排泄液と接触した多孔性粒子が臭い成分を吸着するとともに、ｐＨ緩衝剤が排泄液に溶解して臭い成分を中和しながら、圧密部８を介して非肌面側のコアラップ４１に到達する。その結果、特に肌側での臭い成分残存量を減らすことができ、消臭効果を持続的に得ることができる。
【００７２】
図２に示す実施形態のように、吸収性コアがコアラップで覆われた吸収体が２つ積層されている場合には、圧密部８及び底部８２を介して非肌側へと移行した排泄液が、各層間の面方向に拡散し易いので、より広い面積で排泄液と消臭剤とが接触可能となる。その結果、消臭性能を長時間に亘って持続させることができる。
【００７３】
また、排泄液が圧密部８の底部８２に位置するコアラップ４１Ｂから浸透して、非肌側面に存在する下層吸収体４Ｂへと移行しやすくなる。その結果、吸収体４の肌側面を覆うコアラップ４１Ａと非肌側面を覆うコアラップ４１Ｂ双方に亘って消臭効果が期待できるとともに、肌から遠い位置で消臭され易くなる。しかも、排泄液が圧密部８を通じて吸収体４の非肌側面へ移行しやすいので、吸収体４の肌側面に排泄液が過剰に留まることが抑制され、排泄液が上層吸収体４Ａと下層吸収体４Ｂとで適度に分配されるので、肌側のコアラップ４１Ａの消臭効果が持続して、吸収性物品１を長時間にわたり着用しても、消臭効果が得られ易い。
【００７４】
吸収体４の高坪量領域は高坪量領域の周囲に位置する高坪量領域よりも坪量の低い低坪量領域よりも密度が高いと、高坪量領域から優先的に排泄液が吸収され易くなる。高坪量領域の圧密部８以外の部分が圧密部８よりも密度が低い構造を有していることで、特に圧密部８からの排泄液の吸収が速くなり、底部８２に存在するコアラップ４１と排泄液との接触によって肌側での臭いの発生をより抑制しやすくなる。
【００７５】
次に、本発明の吸収性物品１の他の実施形態（第２実施形態）を、図３を参照して説明する。第２実施形態については、第１実施形態と異なる点を中心に説明し、特に説明しない点については第１実施形態についての説明が適宜適用される。図３において、図１及び図２と同じ部材には、同じ符号を付してある。
【００７６】
図３に示す実施形態では、図１及び図２で示した第１実施形態とは異なり、ナプキン１は一層の吸収体４を有している。吸収体４は、吸収性コア４０と、吸収性コア４０を包むコアラップ４１から構成され、凹凸が肌面側に配されている肌面シート２と、非肌面シート３との間に挟まれている。肌面シート２は、サイドシート９を介して非肌面シート３と接合されており、サイドシート９と非肌面シート３との接合によって、周縁シール部を形成している。なお、図３に示す実施形態では、肌面シート２と非肌面シート３とがサイドシート９を介して接合されているが、第１実施形態のように、肌面シート２と非肌面シート３とが直接接合して周縁シール部を形成していてもよい。
【００７７】
図３に示すナプキン１では、吸収体４に、コアラップ４１の非肌側面から肌側面に向かって突出する空洞部８１が形成されており、空洞部８１によって形成された底部８２の上方に対応する位置に吸収性コア４０の吸収性材料が圧縮された圧密部８を有している。また吸収体４は、圧密部８と厚み方向において重なる位置において、吸収体４の肌側面から非肌側面に向かって窪む窪み部８３を有している。即ち、圧密部８は、空洞部８１によって形成された底部８２と、窪み部８３との間に形成されている。
【００７８】
圧密部８、空洞部８１及び底部８２は、第１実施形態と同様に、吸収体４に対して、その非肌側面から肌側面に向けてピンエンボスを施すことで形成することができる。この場合、ピンエンボスを施す条件や、吸収性コアの坪量等を適宜調整することで、圧密部８に対応する位置に窪み部８３を形成することができる。
【００７９】
第２実施形態においては、図３に示すように、圧密部８及び窪み部８３は幅方向Ｙの中央の一箇所のみに設けられているが、縦方向Ｘにわたり所定の間隔を置いて複数形成されていてもよい。
【００８０】
このように、吸収体４の肌面側に窪み部８３を有していると、排泄液が重力に従って窪み部８３へ誘導され、圧密部８に一層吸収されやすい状態にすることができる。また、ナプキン１の着用時に着用者が座った状態等によって肌面シート２に圧力（表面シート２の厚み方向に掛かる力）が掛かったときに、窪み部８３が他の部分よりも圧縮されにくく、排泄液が圧密部８へ入り易い状態を維持することができるという効果も奏する。窪み部８３による排泄液の圧密部８への誘導に起因して、排泄液とコアラップ４１及びコアラップ４１に含まれる消臭剤との接触効率をより高めることができ、その結果、コアラップ４１に含まれる消臭剤による消臭効果を好適に発揮することができる。
【００８１】
第２実施形態におけるナプキン１は、図３に示すように、中間部１Ｂにおける横方向Ｙに関して、圧密部８の両側に吸収体４の肌面シート２側から非肌面シート３側に押圧された一対の押圧部５，５を備えていてもよい。押圧部５を備えていると、圧密部８によって排泄液が吸収体４の非肌側面に導かれやすくなることに加えて、押圧部５の窪みによっても排泄液が吸収体４の非肌側面に導かれやすくなる。押圧部５では、その底部とコアラップ４１の非肌側面とが近接しているので、圧密部８と同様に、吸収体４の非肌面側において高い消臭効果が期待できる。
【００８２】
特に第２実施形態における押圧部５が、図１に示す実施形態と同様に、前方部１Ａ、中間部１Ｂ及び後方部１Ｃに亘って縦方向Ｘに延びて存在する防漏溝５として形成されていれば、中間部１Ｂで吸収体４の非肌側へ導かれた排泄液が防漏溝５を伝わって縦方向Ｘに拡散しながら消臭されるので、コアラップ４１と排泄液との接触に起因して臭いの発生を一層有効に抑制することが可能となる。
【００８３】
以上の構成を有する第２実施形態のナプキン１を着用した場合でも、排泄液に起因した臭いを効果的に抑制することができ、且つ持続的に消臭効果を得ることができる。
【００８４】
以上、本発明をその好ましい実施形態に基づき説明したが、本発明は前記実施形態に制限されない。例えば第１実施形態において、圧密部８の形成位置は高坪量領域のみであったが、これに加えて、又はこれに代えて高坪量領域の周囲に位置する低坪量領域に圧密部８を形成してもよい。
【００８５】
また、第２実施形態において、圧密部８は幅方向に関し中央部に一箇所のみ形成されていたが、これに代えて、幅方向にわたり間隔を置いて複数形成されていてもよい。
【００８６】
また、第２実施形態におけるナプキン１の肌面シートは、その表面に凹凸を有していたが、これに代えてフラットな表面を有する肌面シートを用いてもよい。また、表面に凹凸を有する肌面シートを第１実施形態のナプキン１に適用してもよい。
【００８７】
前記の各実施形態は、吸収性物品１としてのナプキンに係るものである。しかし本発明は他の吸収性物品、例えば、使い捨ておむつ、失禁パッド、パンティライナー等についても適用可能である。
【産業上の利用可能性】
【００８８】
本発明によれば、消臭性能を持続的に発揮できる吸収性物品を提供できる。
【要約】
本発明の吸収性物品（１）は、肌面シート（２）、非肌面シート（３）、及びこれらシート間に配される吸収体（４）を備えている。吸収体（４）は吸収性コア（４０）と、吸収性コア（４０）の非肌側面を覆うコアラップ（４１）とを有している。吸収体（４）はその非肌側に開口を有し、肌側に底部（８２）を有する空洞部（８１）を備え、底部（８２）が吸収性コア（４０）の密度が高い圧密部（８）を構成している。コアラップ（４１）は消臭剤を含んでいる。【図１】
0006328357.tif 000004
【図２】
0006328357.tif 000005
【図３】
0006328357.tif 000006